(57)【要約】      （修正有）【課題】挟持力が増加され、接触面積が広がるとともに、構造の弾性限界が改善され、優れた導体接触が増えるようになる同軸ケーブル接続継手の中心導体改良構造を提供する。【解決手段】同軸ケーブル接続継手の中心導体改良構造は、中空スリーブと、少なくとも一つの第１の弾性片セットと、少なくとも一つの第２の弾性片セットとを含む。中空スリーブの両端には接続ポートを有し、スリーブの両側に第１のスリット及び第２のスリットがそれぞれ設けられ、且つ、中空スリーブの上下壁面に上側開口及び下側開口がそれぞれ設けられ、第１の弾性片セットは、第２の弾性片セットと逆方向に設けられ、各弾性片セットは、互いに上下挟持する両弾性片を含み、両弾性片の一端が中空スリーブの上下壁面にそれぞれ接続され、他端が上側開口及び下側開口の内部に延在される。【選択図】図１
0003169197.tif 000002
【実用新案登録請求の範囲】
【請求項１】
先端及び末端には接続ポートをそれぞれ有し、左右の両対向側に第１のスリット及び第２のスリットがそれぞれ設けられ、その上下壁面に互いに対応する少なくとも一つの上側開口及び少なくとも一つの下側開口がそれぞれ設けられた中空スリーブと、
互いに上下挟持する両弾性片を含み、且つ、前記両弾性片の一端が前記中空スリーブの上下壁面にそれぞれ接続され、他端が前記上側開口及び前記下側開口の内部に延在された少なくとも一つの第１の弾性片セットと、
前記第１の弾性片セットと逆方向に設けられ、互いに上下挟持する両弾性片を含み、且つ、前記両弾性片の一端が前記中空スリーブの上下壁面にそれぞれ接続され、他端が前記上側開口及び前記下側開口の内部に延在された少なくとも一つの第２の弾性片セットとを含み、
前記第１の弾性片セットと前記第２の弾性片セットとが、複数点挟持構造となっていることを特徴とする同軸ケーブル接続継手の中心導体改良構造。
【請求項２】
前記第１のスリットは、前記中空スリーブの先端の接続ポートから前記中空スリーブの末端の接続ポートまでの連続スリットであることを特徴とする請求項１に記載の同軸ケーブル接続継手の中心導体改良構造。
【請求項３】
前記第２のスリットは、前記中空スリーブの先端の接続ポート及び前記中空スリーブの末端の接続ポートから前記中空スリーブの中央に延在された不連続スリットであることを特徴とする請求項１に記載の同軸ケーブル接続継手の中心導体改良構造。
【請求項４】
前記第１の弾性片セットの弾性片及び前記第２の弾性片セットの弾性片の末端は、いずれも自由端になるように折り曲げられたことを特徴とする請求項１に記載の同軸ケーブル接続継手の中心導体改良構造。
【請求項５】
前記第１の弾性片セットの弾性片及び前記第２の弾性片セットの弾性片は、挟持してから菱形接続口に形成されたことを特徴とする請求項１に記載の同軸ケーブル接続継手の中心導体改良構造。
【考案の詳細な説明】
【技術分野】
【０００１】
本考案は、同軸ケーブル接続継手の中心導体改良構造に関し、異なる仕様の同軸ケーブル及びその芯線を接続するように同軸ケーブル接続継手内に中心導体が設けられた同軸ケーブル接続継手の中心導体改良構造に関する。
【背景技術】
【０００２】
一般に、高周波、ビデオまたはケーブルテレビシステムの信号伝送において、信号伝送の効果を達するため、システム設備における同軸ケーブル接続継手を介して少なくとも一本の同軸ケーブルに接続されてなる。近年、電子製品の種類は、日を追うごとに増えつつあり、それとともに周波数の安定及び信号伝送のロス低下への要求も重視されるようになったので、異なる電子製品に対して、異なる仕様の同軸ケーブル接続継手及び対応用の同軸ケーブルがメーカによって開発されたことで、外部信号の干渉を有効に遮断できるようになった。
【考案の概要】
【考案が解決しようとする課題】
【０００３】
しかしながら、従来の同軸ケーブル接続継手の中心導体は、その接続部構造が一対の弾性片で当該同軸ケーブルの芯線を上下挟持するように構成されているが、一対の弾性片による挟持が頑丈ではなく、前記芯線を有効に挟持できなくなると、信号伝送が不安定になり易く或いは切断になってしまい、挟持された芯線も引っ張られて外され易くなる。
【０００４】
次に、異なる仕様の同軸ケーブルは、その芯線の線径のサイズも多少異なっており、従来の同軸ケーブル接続継手の中心導体を同軸ケーブルの芯線に接続するときに、構造が劣っていると、中心導体の接続部構造が押し広げられ過ぎて弾性疲労になり、或いは、接続部構造が芯線を挟持し難くなる。
【０００５】
上記に鑑みて、本考案の創作者は、研究や設計、組み立てに専念し、挟持力が増加され、接触面積が向上するとともに、構造の弾性限界が改善され、優れた導体接触が増えるようになる同軸ケーブル接続継手の中心導体改良構造を提供する。
【０００６】
本考案は、挟持力が増加され、接触面積が向上するとともに、構造の弾性限界が改善され、優れた導体接触が増えるようになる同軸ケーブル接続継手の中心導体改良構造を提供することを目的とする。
【課題を解決するための手段】
【０００７】
前記目的を達成するため、本考案による同軸ケーブル接続継手の中心導体改良構造は、中空スリーブと、少なくとも一つの第１の弾性片セットと、少なくとも一つの第２の弾性片セットとを含み、前記中空スリーブの先端及び末端には接続ポートをそれぞれ有し、前記中空スリーブの左右の両対向側に第１のスリット及び第２のスリットがそれぞれ設けられ、前記中空スリーブの上下壁面に互いに対応する少なくとも一つの上側開口及び少なくとも一つの下側開口がそれぞれ設けられ、前記第１の弾性片セットは、互いに上下挟持する両弾性片を含み、且つ、前記両弾性片の一端が前記中空スリーブの上下壁面にそれぞれ接続され、他端が前記上側開口及び前記下側開口の内部に延在され、前記第２の弾性片セットは、第１の弾性片セットと逆方向に設けられ、互いに上下挟持する両弾性片を含み、且つ、前記両弾性片の一端が前記中空スリーブの上下壁面にそれぞれ接続され、他端が前記上側開口及び前記下側開口の内部に延在され、前記第１の弾性片セットと前記第２の弾性片セットとが、複数点挟持構造となっている。
【考案の効果】
【０００８】
本考案によれば、複数対の弾性片を有することで、挟持力が増加され、同軸ケーブルの芯線が引っ張られて外され難くなるとともに、接触面積が有効に広がり、優れた導体接触が増え、さらに、複数のスリットを有することで、構造の弾性限界が改善され、且つ、中空スリーブが一体成型されたことで、コストを下げられるようになる。
【図面の簡単な説明】
【０００９】
【図１】本考案による第１実施例を示す斜視図である。
【図１Ａ】本考案による第１実施例を示す他の角度からの斜視図である。
【図２】本考案による第１実施例を示す平面図である。
【図３】本考案による第１実施例を示す断面図である。
【図４】本考案による第１実施例を示す側面図である。
【図５】本考案による第１実施例のスリット付き弾性片を示す平面図である。
【図６】本考案による第２実施例を示す斜視図である。
【図６Ａ】本考案による第２実施例を示す他の角度からの斜視図である。
【図７】本考案による第３実施例を示す斜視図である。
【図７Ａ】本考案による第３実施例を示す他の角度からの斜視図である。
【図７Ｂ】図７Ａの端部を長くした場合の斜視図である。
【図８】本考案による第４実施例を示す斜視図である。
【考案を実施するための形態】
【００１０】
本考案の特徴、特点及び技術内容をさらに深く了解を得るため、以下に本考案に係る詳細説明及び添付図面を示すが、前記添付図面は参考や説明のために提供され、本考案を局限するものではない。
【実施例１】
【００１１】
図１〜図４は、同軸ケーブル接続継手の中心導体改良構造を示す。図１〜図４に示すように、同軸ケーブル接続継手の中心導体改良構造は、中空スリーブ１０と、少なくとも一つの第１の弾性片セット２０と、少なくとも一つの第２の弾性片セット２０とを含む。
【００１２】
中空スリーブ１０の先端及び末端には接続ポート１１をそれぞれ有し、中空スリーブ１０の左右の両対向側に第１のスリット１２及び第２のスリット１３がそれぞれ設けられ、中空スリーブ１０の上下壁面１０１、１０２に少なくとも一つの上側開口１５及び少なくとも一つの下側開口１６がそれぞれ設けられる。
また、構造の弾性限界を改善するため、第１のスリット１２は、中空スリーブ１０の先端の接続ポート１１から中空スリーブ１０の末端の接続ポート１１までの連続スリットであり、第２のスリット１３は、中空スリーブ１０の先端の接続ポート１１及び中空スリーブ１０の末端の接続ポート１１から中空スリーブ１０の中央に延在された不連続スリット（もちろん、第２のスリット１３は、単に中空スリーブ１０の先端の接続ポート１１から中空スリーブ１０の中央に延在され、或いは、単に中空スリーブ１０の末端の接続ポート１１から中空スリーブ１０の内部に延在された片方向設置方式であっても良い）である。
【００１３】
第１の弾性片セット２０は、互いに上下挟持する両弾性片２１、２２を含み、且つ、両弾性片２１、２２の一端が中空スリーブ１０の上下壁面１０１、１０２にそれぞれ接続され、両弾性片２１、２２の他端が上側開口１５及び下側開口１６の内部に延在される。
【００１４】
第２の弾性片セット３０は、第１の弾性片セット２０と逆方向に設けられ、互いに上下挟持する両弾性片３１、３２を含み、且つ、これらの弾性片３１、３２の一端が中空スリーブ１０の上下壁面１０１、１０２にそれぞれ接続され、両弾性片３１、３２の他端が上側開口１５及び下側開口１６の内部に延在される。
また、同軸ケーブルの芯線を導入・導出し易くするため、第１の弾性片セット２０の弾性片２１、２２及び第２の弾性片セット３０の弾性片３１、３２の末端は、いずれも自由端２４、３４になるように折り曲げられて、且つ、各弾性片セット２０、３０の弾性片２１、２２、３１、３２が挟持してから菱形接続口１４（或いは、菱形接続口に近似する）を形成することによって、接触面積が向上し、優れた導体接触が増える。
【００１５】
よって、本考案は、複数点挟持構造となっており、同軸ケーブルの芯線を導入するとより強い挟持力となり、同軸ケーブルの芯線が引っ張られて外されることを防止でき、さらに、接触面積が有効に広がり、信号遮断されることを防止できる。
【００１６】
本考案の第１の弾性片セット２０と第２の弾性片セット３０とが互いに逆方向に設けられる点について特に説明しておく。
これは、主に、第１の弾性片セット２０と第２の弾性片セット３０とが同方向に設けられると、同軸ケーブルの芯線を複数回に亘って差し抜いた後に、その順方向動作により弾性片が弾性疲労になり易いため、挟持力が低下する一方、その逆方向動作により弾性片が折断され易いため、機能が失われてしまい、第１の弾性片セット２０と第２の弾性片セット３０とが互いに逆方向に設けられると、順方向動作によってそのうちの一つの弾性片セット（例えば、第２の弾性片セット３０）の弾性疲労になって或る方向の弾性片の挟持力が低下した場合としても、少なくとも他方向のもう一つの弾性片セット（例えば、第１の弾性片セット２０）が適当な挟持力をなお保持でき、逆方向動作によってそのうちの一つの弾性片セット（例えば、第１の弾性片セット２０）が折断されて機能を失してしまう場合でも、少なくとも他方向のもう一つのの弾性片セット（例えば、第２の弾性片セット３０）が運行をなお正常に維持できると考えられる。
【００１７】
また、図５に示すように、第１の弾性片セット２０の弾性片２１、２２及び第２の弾性片セット３０の弾性片３１、３２は、軸方向に第３のスリット２８を設けることで、接触面積を増加して信号受信品質を向上できる。
【００１８】
第１実施例では、中空スリーブ１０（先端及び末端に）には両上側開口１５及び両下側開口１６が設けられるとともに、両第１の弾性片セット２０及び両第２の弾性片セット３０がそれに応じて設けられる。
第１の弾性片セット２０の弾性片２１、２２と第２の弾性片セット３０の弾性片３１、３２とは、逆方向に設けられて＞＜構造を形成し（図３の左方に示すように、該＞＜構造における「＞」構造が第２の弾性片セット３０の弾性片３１、３２により形成され、「＜」構造が第１の弾性片セット２０の弾性片２１、２２により形成されているが、これに限られず）、複数の第１の弾性片セット２０及び第２の弾性片セット３０の設置により、挟持力が増加して接触面積を広げることができる。また、同軸ケーブルの芯線を導入・導出し易くするため、第１の弾性片セット２０の弾性片２１、２２及び第２の弾性片セット３０の弾性片３１、３２の末端は、いずれも自由端２４、３４になるように折り曲げられ、弾性片２１、２２、３１、３２の折断を防止でき、さらに、第１のスリット１２及び第２のスリットの設置により、中空スリーブ１０の先端及び末端の接続ポート１１の口径を自由に変更でき、ひいては、同軸ケーブルの芯線の適応仕様類型を増加させることができる。
【実施例２】
【００１９】
図６は、本考案による同軸ケーブル接続継手の中心導体改良構造の第２実施例を示す。図６に示すように、前記第１実施例とは、第１の弾性片セット２０の弾性片２１、２２と第２の弾性片セット３０の弾性片３１、３２とが、逆方向に設けられて＜＞構造を形成する点で異なっている。よって、第１実施例と同じ効果を達成できる。
【実施例３】
【００２０】
図７及び図７Ａは、本考案による同軸ケーブル接続継手の中心導体改良構造の第３実施例を示す。
図７及び図７Ａに示すように、前記第１実施例とは、中空スリーブ１０の一端部（先端または末端）が、異なる仕様のコネクタに合わせるように徐々に絞られてから円形パイプ状になることによって、本考案が搭載可能な電子製品の類型を増加させた点で異なっている。もちろん、中空スリーブ１０の端部を直接的に長く伸ばして使用しても良い（図７Ｂを参照）。
【実施例４】
【００２１】
図８は、本考案による同軸ケーブル接続継手の中心導体改良構造の第４実施例を示す。図８に示すように、前記第２実施例とは、中空スリーブ１０の一端部（先端または末端）が、異なる仕様のコネクタに合わせるように徐々に絞られてから円形パイプ状になり、本考案が搭載可能な電子製品の類型を増加させた点で異なっている。もちろん、中空スリーブ１０の端部を直接に長く伸ばして使用しても良い。
【００２２】
以上は単に本考案の好ましい実施例に過ぎず、本考案の実用新案登録請求の範囲を局限するものではない。当該分野における通常の知識を有する専門家は、本考案の分野の中で、適当に変更や修飾などを実施できるが、それらの実施が本考案の主張範囲内に含まれることは言うまでもないことである。
【符号の説明】
【００２３】
１０        中空スリーブ
１０１      上壁面
１０２      下壁面
１１        接続ポート
１２        第１のスリット
１３        第２のスリット
１４        菱形接続口
１５        上側開口
１６        下側開口
２０        第１の弾性片セット
２１、２２  弾性片
３１、３２  弾性片
２４、３４  自由端
２８        第３のスリット
３０        第２の弾性片セット
【図１】
0003169197.tif 000003
【図１Ａ】
0003169197.tif 000004
【図２】
0003169197.tif 000005
【図３】
0003169197.tif 000006
【図４】
0003169197.tif 000007
【図５】
0003169197.tif 000008
【図６】
0003169197.tif 000009
【図６Ａ】
0003169197.tif 000010
【図７】
0003169197.tif 000011
【図７Ａ】
0003169197.tif 000012
【図７Ｂ】
0003169197.tif 000013
【図８】
0003169197.tif 000014